(57)【特許請求の範囲】
【請求項１】
複数の端子収容室が形成されたハウジングと、
前記端子収容室と対応する複数のシール孔が形成され、前記ハウジングの後端部に取り付けられた一括ゴム栓と、
前記シール孔と対応する複数の貫通孔が形成され、前記一括ゴム栓の後面と対向するように取り付けられることで前記一括ゴム栓を前記ハウジングへの取り付け状態に保持するゴム栓ホルダと、
前記ゴム栓ホルダの後方から前記貫通孔と前記シール孔を順に通過して前記端子収容室に挿入される端子金具と、
前記端子金具の外面から前記端子収容室への挿入方向と交差する方向へ突出する規制突起と、
前記端子金具の後端部に接続され、前記端子金具が前記端子収容室に挿入された状態では、前記貫通孔を貫通した状態となる電線と、
前記端子収容室内に臨むように設けられ、前記端子金具が不正な姿勢で前記端子収容室に挿入されようとしたときに、前記規制突起を干渉させることで前記端子金具の挿入動作を規制する規制部と、
前記端子収容室の内壁面から突出した形態であって、前記規制部を構成する固定側干渉部と、
前記端子収容室に臨むように前記ハウジングに取り付けられ、前記端子収容室に対する前記端子金具の挿入を許容する仮係止位置と、前記端子収容室に挿入された前記端子金具に対して抜止め可能に当接する本係止位置との間での変位を可能とされたリテーナと、
前記リテーナに形成され、前記リテーナが仮係止位置にあるときに、前記規制部を構成する可動側干渉部とを備えていることを特徴とするコネクタ。
【請求項２】
複数の端子収容室が形成されたハウジングと、
前記端子収容室と対応する複数のシール孔が形成され、前記ハウジングの後端部に取り付けられた一括ゴム栓と、
前記シール孔と対応する複数の貫通孔が形成され、前記一括ゴム栓の後面と対向するように取り付けられることで前記一括ゴム栓を前記ハウジングへの取り付け状態に保持するゴム栓ホルダと、
前記ゴム栓ホルダの後方から前記貫通孔と前記シール孔を順に通過して前記端子収容室に挿入される端子金具と、
前記端子金具の外面から前記端子収容室への挿入方向と交差する方向へ突出する規制突起と、
前記端子金具の後端部に接続され、前記端子金具が前記端子収容室に挿入された状態では、前記貫通孔を貫通した状態となる電線と、
前記端子収容室内に臨むように設けられ、前記端子金具が不正な姿勢で前記端子収容室に挿入されようとしたときに、前記規制突起を干渉させることで前記端子金具の挿入動作を規制する規制部と、
前記端子収容室の内壁に形成されたランスと、
前記端子金具の外面から前記端子収容室への挿入方向と交差する方向へ突出した形態であって、前記ランスに当接することで、前記端子収容室に挿入された前記端子金具を抜止めする抜止め突起と、
前記端子収容室内に臨むように設けられ、前記端子金具が正規の姿勢で前記端子収容室に挿入されるときに前記抜止め突起を通過させる逃がし凹部と、
前記端子金具の外面から前記端子収容室への挿入方向と交差する方向へ突出した形態であって、前記規制突起が前記規制部と干渉した状態において、前記逃がし凹部の内面に当接することで、前記端子金具の姿勢の傾きを抑制する傾き抑制突起とを備えていることを特徴とするコネクタ。
【請求項３】
複数の端子収容室が形成されたハウジングと、
前記端子収容室と対応する複数のシール孔が形成され、前記ハウジングの後端部に取り付けられた一括ゴム栓と、
前記シール孔と対応する複数の貫通孔が形成され、前記一括ゴム栓の後面と対向するように取り付けられることで前記一括ゴム栓を前記ハウジングへの取り付け状態に保持するゴム栓ホルダと、
前記ゴム栓ホルダの後方から前記貫通孔と前記シール孔を順に通過して前記端子収容室に挿入される端子金具と、
前記端子金具の外面から前記端子収容室への挿入方向と交差する方向へ突出する規制突起と、
前記端子金具の後端部に接続され、前記端子金具が前記端子収容室に挿入された状態では、前記貫通孔を貫通した状態となる電線と、
前記端子収容室内に臨むように設けられ、前記端子金具が不正な姿勢で前記端子収容室に挿入されようとしたときに、前記規制突起を干渉させることで前記端子金具の挿入動作を規制する規制部とを備え、
前記貫通孔における前記端子金具の貫通方向と平行に投影した仮想投影面上において、前記電線の外周部の一部のみが前記端子金具の外面から突出するようになっており、
前記貫通孔の内周が、前記電線の外面に沿った形状の電線用回避凹部と、前記端子金具の外面に沿った形状の端子用位置決め凹部とを備えて構成されていることを特徴とするコネクタ。
【発明の詳細な説明】
【技術分野】
【０００１】
本発明は、コネクタに関するものである。
【背景技術】
【０００２】
特許文献１には、複数の端子収容室が形成されたハウジングと、端子収容室と対応する複数のシール孔が形成され、ハウジングの後端部に取り付けられた一括ゴム栓と、シール孔と対応する複数の貫通孔が形成され、一括ゴム栓の後面と対向するように取り付けられることで一括ゴム栓を取り付け状態に保持するゴム栓ホルダと、貫通孔とシール孔を順に通過して端子収容室に挿入される端子金具とを備えたコネクタが開示されている。
【０００３】
貫通孔には、端子金具の外面の凸部と対応する凹部が形成されており、端子金具が正しい姿勢で挿入されるときには、凸部が凹部を通過することによって、端子金具の挿入動作が可能となる。また、端子金具が不正な姿勢（例えば、反転した姿勢）で挿入されようとしたときには、凸部が貫通孔の孔縁と干渉することによって、端子金具の挿入動作が阻止される。このように、特許文献１のコネクタにおいては、ゴム栓ホルダに、端子金具の不正な姿勢での挿入を防止する手段が設けられている。
【先行技術文献】
【特許文献】
【０００４】
【特許文献１】特許第２８１３６２０号公報
【発明の概要】
【発明が解決しようとする課題】
【０００５】
上記のコネクタでは、端子金具が端子収容室内に挿入されると、端子金具に接続されて端子金具の後方へ導出された電線は、貫通孔に貫通された状態となる。そのため、電線の外径が大きくて、端子金具の挿入方向と平行に視たときに、電線の外周部が端子金具の外面から突出する形態である場合は、貫通孔の内面と端子金具の外面との間のクリアランスが大きくなる。このような形態のものに対し、特許文献１に記載されたゴム栓ホルダで端子金具の不正な姿勢での挿入を規制する手段を適用しても、凸部と凹部との嵌合代が不足したり、凸部と凹部の嵌合代を確保できなったりするため、端子金具の不正な姿勢の挿入を規制する効果は期待できない。
本発明は上記のような事情に基づいて完成されたものであって、端子金具の不正な姿勢での挿入を確実に規制することを目的とする。
【課題を解決するための手段】
【０００６】
上記の目的を達成するための手段として、請求項１の発明は、複数の端子収容室が形成されたハウジングと、前記端子収容室と対応する複数のシール孔が形成され、前記ハウジングの後端部に取り付けられた一括ゴム栓と、前記シール孔と対応する複数の貫通孔が形成され、前記一括ゴム栓の後面と対向するように取り付けられることで前記一括ゴム栓を前記ハウジングへの取り付け状態に保持するゴム栓ホルダと、前記ゴム栓ホルダの後方から前記貫通孔と前記シール孔を順に通過して前記端子収容室に挿入される端子金具と、前記端子金具の外面から前記端子収容室への挿入方向と交差する方向へ突出する規制突起と、前記端子金具の後端部に接続され、前記端子金具が前記端子収容室に挿入された状態では、前記貫通孔を貫通した状態となる電線と、前記端子収容室内に臨むように設けられ、前記端子金具が不正な姿勢で前記端子収容室に挿入されようとしたときに、前記規制突起を干渉させることで前記端子金具の挿入動作を規制する規制部と、前記端子収容室の内壁面から突出した形態であって、前記規制部を構成する固定側干渉部と、前記端子収容室に臨むように前記ハウジングに取り付けられ、前記端子収容室に対する前記端子金具の挿入を許容する仮係止位置と、前記端子収容室に挿入された前記端子金具に対して抜止め可能に当接する本係止位置との間での変位を可能とされたリテーナと、前記リテーナに形成され、前記リテーナが仮係止位置にあるときに、前記規制部を構成する可動側干渉部とを備えているところに特徴を有する。
【０００８】
請求項２の発明は、複数の端子収容室が形成されたハウジングと、前記端子収容室と対応する複数のシール孔が形成され、前記ハウジングの後端部に取り付けられた一括ゴム栓と、前記シール孔と対応する複数の貫通孔が形成され、前記一括ゴム栓の後面と対向するように取り付けられることで前記一括ゴム栓を前記ハウジングへの取り付け状態に保持するゴム栓ホルダと、前記ゴム栓ホルダの後方から前記貫通孔と前記シール孔を順に通過して前記端子収容室に挿入される端子金具と、前記端子金具の外面から前記端子収容室への挿入方向と交差する方向へ突出する規制突起と、前記端子金具の後端部に接続され、前記端子金具が前記端子収容室に挿入された状態では、前記貫通孔を貫通した状態となる電線と、前記端子収容室内に臨むように設けられ、前記端子金具が不正な姿勢で前記端子収容室に挿入されようとしたときに、前記規制突起を干渉させることで前記端子金具の挿入動作を規制する規制部と、前記端子収容室の内壁に形成されたランスと、前記端子金具の外面から前記端子収容室への挿入方向と交差する方向へ突出した形態であって、前記ランスに当接することで、前記端子収容室に挿入された前記端子金具を抜止めする抜止め突起と、前記端子収容室内に臨むように設けられ、前記端子金具が正規の姿勢で前記端子収容室に挿入されるときに前記抜止め突起を通過させる逃がし凹部と、前記端子金具の外面から前記端子収容室への挿入方向と交差する方向へ突出した形態であって、前記規制突起が前記規制部と干渉した状態において、前記逃がし凹部の内面に当接することで、前記端子金具の姿勢の傾きを抑制する傾き抑制突起とを備えているところに特徴を有する。
【０００９】
請求項３の発明は、複数の端子収容室が形成されたハウジングと、前記端子収容室と対応する複数のシール孔が形成され、前記ハウジングの後端部に取り付けられた一括ゴム栓と、前記シール孔と対応する複数の貫通孔が形成され、前記一括ゴム栓の後面と対向するように取り付けられることで前記一括ゴム栓を前記ハウジングへの取り付け状態に保持するゴム栓ホルダと、前記ゴム栓ホルダの後方から前記貫通孔と前記シール孔を順に通過して前記端子収容室に挿入される端子金具と、前記端子金具の外面から前記端子収容室への挿入方向と交差する方向へ突出する規制突起と、前記端子金具の後端部に接続され、前記端子金具が前記端子収容室に挿入された状態では、前記貫通孔を貫通した状態となる電線と、前記端子収容室内に臨むように設けられ、前記端子金具が不正な姿勢で前記端子収容室に挿入されようとしたときに、前記規制突起を干渉させることで前記端子金具の挿入動作を規制する規制部とを備え、前記貫通孔における前記端子金具の貫通方向と平行に投影した仮想投影面上において、前記電線の外周部の一部のみが前記端子金具の外面から突出するようになっており、前記貫通孔の内周が、前記電線の外面に沿った形状の電線用回避凹部と、前記端子金具の外面に沿った形状の端子用位置決め凹部とを備えて構成されているところに特徴を有する。
【発明の効果】
【００１０】
＜請求項１の発明＞
端子金具が不正な姿勢で端子収容室に挿入されるのを規制する規制部は、端子収容室内に臨む位置、即ち端子金具の挿入過程における電線の移動経路よりも前方の位置に配置されている。したがって、規制部の形状、位置、寸法等は、電線の外径寸法の影響を受けることなく、規制突起の形状、位置、寸法に合わせて好適な形態にすることができる。したがって、本発明によれば、電線の外径寸法と端子金具の大きさとの関係に左右されることなく、端子金具の不正な姿勢での挿入を確実に規制することができる。
【００１１】
また、規制部を、端子収容室の内壁面の固定側干渉部と、リテーナの可動側干渉部とによって構成しているので、規制突起と規制部との干渉代を十分大きく確保することが可能である。
【００１２】
＜請求項２の発明＞
端子金具が不正な姿勢で端子収容室に挿入されるのを規制する規制部は、端子収容室内に臨む位置、即ち端子金具の挿入過程における電線の移動経路よりも前方の位置に配置されている。したがって、規制部の形状、位置、寸法等は、電線の外径寸法の影響を受けることなく、規制突起の形状、位置、寸法に合わせて好適な形態にすることができる。したがって、本発明によれば、電線の外径寸法と端子金具の大きさとの関係に左右されることなく、端子金具の不正な姿勢での挿入を確実に規制することができる。
また、逃がし凹部の内面に傾き抑制突起を当接させて、端子金具の姿勢の傾きを抑制したので、端子金具の姿勢の傾きに起因して規制部に対する規制突起の干渉代が減少することを、防止できる。
【００１３】
＜請求項３の発明＞
端子金具が不正な姿勢で端子収容室に挿入されるのを規制する規制部は、端子収容室内に臨む位置、即ち端子金具の挿入過程における電線の移動経路よりも前方の位置に配置されている。したがって、規制部の形状、位置、寸法等は、電線の外径寸法の影響を受けることなく、規制突起の形状、位置、寸法に合わせて好適な形態にすることができる。したがって、本発明によれば、電線の外径寸法と端子金具の大きさとの関係に左右されることなく、端子金具の不正な姿勢での挿入を確実に規制することができる。
また、貫通孔における端子金具の貫通方向と平行に投影した仮想投影面上において、電線の外周部の一部のみが端子金具の外面から突出するようになっている場合、貫通孔を電線に外接するような方形状に形成してしまうと、貫通孔内において端子金具の姿勢が定まらない。本発明では、貫通孔の内周に、電線の外面に沿った形状の電線用回避凹部と、端子金具の外面に沿った形状の端子用位置決め凹部とを形成したので、端子用位置決め凹部に端子金具の外周部が嵌合することによって、端子金具の姿勢の傾きが防止される。
【図面の簡単な説明】
【００１４】
【図１】実施形態１のコネクタにおいてリテーナが本係止位置にある状態をあらわす断面図
【図２】リテーナが仮係止位置にある状態をあらわすコネクタの断面図
【図３】端子金具の側面図
【図４】端子金具の平面図
【図５】図３のＡ−Ａ線断面図
【図６】リテーナが本係止位置にある状態の端子収容室をあらわす背面図
【図７】リテーナが仮係止位置にあって、端子収容室に端子金具が正しい姿勢で挿入されている状態をあらわす背面図
【図８】リテーナの端子挿通孔３３の形状をあらわす背面図
【図９】リテーナが仮係止位置にあって、端子収容室に端子金具が上下範囲した不正な姿勢で挿入されている状態をあらわす背面図
【図１０】端子金具に傾き抑制突起４２が形成されていないことが原因で、端子金具が傾いている様子を仮想的にあらわした背面図
【図１１】ゴム栓ホルダの貫通孔に端子金具が挿入されている状態をあらわす背面図
【発明を実施するための形態】
【００１５】
＜実施形態１＞
以下、本発明を具体化した実施形態１を図１〜図１１を参照して説明する。図１，２に示すように、本実施形態のコネクタは、ハウジング１０と、リテーナ３０と、複数の端子金具４０と、複数本の電線４６と、一括ゴム栓５０と、ゴム栓ホルダ６０とを備えて構成されている。尚、以下の説明において、前後の方向は、図１，２における右方を前方とし、左方を後方とする。また、上下の方向及び左右の方向については、各部品を後方から視た図５〜１１を基準とする。
【００１６】
図１，２に示すように、ハウジング１０は、ハウジング本体１１と、ハウジング本体１１の前端部に組み付けられたフロント部材１２とを備え構成されている。ハウジング１０の内部には、前後方向に貫通する複数の端子収容室１３が形成されている。各端子収容室１３の前端部には、その下面壁に沿って前方へ片持ち状に延出するランス１４が形成されている。ハウジング１０には、その上下両面に開放された取付孔１５が形成されている。取付孔１５は、ランス１４よりも後方の位置において、全ての端子収容室１３に連通している。取付孔１５には、上方からリテーナ３０が組み付けられている。
【００１７】
図１，２，６，７，９に示すように、端子収容室１３の下面壁には、取付孔１５の後方に隣接する部分を突出させた形態の固定側干渉部１６が、端子収容室１３の全幅（左右方向全領域）に亘って形成されている。固定側干渉部１６の後面は、前方に向かって上り勾配となるように傾斜している。固定側干渉部１６は、端子収容室１３内における端子金具４０の挿入経路に臨むように配置されている。また、固定側干渉部１６は、後述する可動側干渉部３５とともに、規制部１７を構成する。図６，７，９，１０に示すように、固定側干渉部１６には、端子収容室１３の幅方向（左右方向）における中央よりも少し右寄りの部分を略半円弧状に切欠した形態の下面側干渉回避凹部１８が形成されている。
【００１８】
図６，７，９に示すように、端子収容室１３の上面壁には、取付孔１５の後方に隣接するように突部１９と、逃がし凹部２０と、上面側干渉回避凹部２１とが形成されている。突部１９は、端子収容室１３の幅方向における左端部に配置されている。逃がし凹部２０は、突部１９の下面よりも上方へ凹んだ形体であり、端子収容室１３の幅方向（左右方向）における中央部に配置されている。上面側干渉回避凹部２１は、突部１９の下面よりも上方であり且つ逃がし凹部２０よりも下方の高さまで凹ませた形態であり、端子収容室１３の幅方向（左右方向）における右端部に配置されている。
【００１９】
図１，２に示すように、リテーナ３０は、取付孔１５内に収容される本体部３１と、本体部３１の上端縁から前方へ延出した形態の操作部３２とを一体に形成したものである。本体部３１には、前後方向に貫通する複数の端子挿通孔３３が、各端子収容室１３と対応するように形成されている。図１，２，６，８に示すように、端子挿通孔３３の上面には、係止突起３４が形成されている。リテーナ３０は、ハウジング１０に対し仮係止位置（図２，７，９を参照）と、仮係止位置よりも下方の本係止位置（図１，６を参照）とに保持されるようになっている。
【００２０】
図７に示すように、端子収容室１３に対する端子金具４０の挿入方向と平行に後方から端子収容室１３を視た仮想投影面上において、リテーナ３０が仮係止位置にある状態では、係止突起３４が端子金具４０の挿入経路から上方へ退避するので、端子収容室１３に対する端子金具４０の挿入動作が許容される。同じく仮想投影面上において、リテーナ３０が本係止位置に移動すると、図６に示すように、係止突起３４が、端子金具４０の挿入経路上（即ち、突部１９の下面より更に下方）へ進出し、挿入済みの端子金具４０に対して係止突起３４が係止することにより、端子金具４０が抜止めされるようになっている。
【００２１】
図７，９に示すように、端子挿通孔３３の内周には、リテーナ３０が仮係止位置にあるときに、上記仮想投影面上において、固定側干渉部１６における下面側干渉回避凹部１８よりも左側の領域の上面から、上方（端子金具４０の挿入経路側）に進出する可動側干渉部３５が形成されている。可動側干渉部３５は、端子収容室１３内における端子金具４０の挿入経路に臨むように配置されている。リテーナ３０が本係止位置へ移動すると、可動側干渉部３５は、固定側干渉部１６の上面よりも下方へ移動する。
【００２２】
図１〜４に示すように、端子金具４０は、全体として前後方向に細長く、端子金具４０の前端側領域には角筒部４１が形成されている。図３，５，７に示すように、角筒部４１の下面には、傾き抑制突起４２が形成されている。傾き抑制突起４２は、端子金具４０が上下反転した不正な姿勢で端子収容室１３に挿入されたときに、端子金具４０の姿勢の傾きを抑制することにより、規制部１７と規制突起４４との干渉代を確保するためのものである。
【００２３】
図３〜５，７に示すように、角筒部４１の上面には、抜止め突起４３と規制突起４４が形成されている。図１に示すように、抜止め突起４３は、端子金具４０が端子収容室１３内の正規位置まで挿入されたときに、ランス１４と係止することにより端子金具４０を抜止めする。図４，５，７に示すように、この抜止め突起４３は、幅方向（左右方向）における角筒部４１の中央位置に配置されている。図９に示すように、規制突起４４は、端子金具４０が上下反転した不正な姿勢で端子収容室１３に挿入されたときに、規制部１７と干渉することによって端子金具４０の挿入動作を規制するためのものである。図４，５，７に示すように、規制突起４４は、幅方向における中央よりも右寄りの位置（幅方向における右半分の領域）に配置されている。また、図３，４に示すように、前後方向において、規制突起４４は抜止め突起４３よりも前方に配置されている。
【００２４】
図１〜４に示すように、端子金具４０の後端側領域に形成した電線圧着部４５には、電線４６が接続され、接続された電線４６は、端子金具４０の後方へ略同軸状に延出されている。図１１に示すように、電線４６の外径は、角筒部４１の上下寸法及び左右寸法よりも大きい。したがって、後述するゴム栓ホルダ６０の貫通孔６１における端子金具４０の貫通方向と平行に投影した仮想投影面上においては、電線４６の外周部の一部が、角筒部４１（端子金具４０）の外面から外側へ突出している。
【００２５】
図１，２に示すように、一括ゴム栓５０は、ハウジング１０の後端部に取り付けられている。一括ゴム栓５０には、前後方向に貫通する複数のシール孔５１が、端子収容室１３と対応する配置で形成されている。端子金具４０を端子収容室１３に挿入する過程では、端子金具４０がシール孔５１を拡径するように弾性変形させながら通過する。そして、端子金具４０が端子収容室１３内に正しく挿入された状態では、電線４６がシール孔５１の内周に液密状に密着する。
【００２６】
図１，２に示すように、ゴム栓ホルダ６０は、一括ゴム栓５０の後面に当接又は接近して対向するようにハウジング１０に組み付けられている。ゴム栓ホルダ６０には、前後方向に貫通する複数の貫通孔６１が、シール孔５１及び端子収容室１３と対応するように配置されて形成されている。ゴム栓ホルダ６０は、一括ゴム栓５０がハウジング１０から離脱しないように組み付け状態に保持するためのものである。
【００２７】
貫通孔６１の開口形状は全体として概ね方形であるが、図１１に示すように、貫通孔６１に対する端子金具４０の貫通方向と平行に投影した仮想投影面上においては、貫通孔６１の内周を凹ませた形態の、４つの電線用回避凹部６２と、１つの端子用位置決め凹部６３とが形成されている。電線用回避凹部６２は、貫通孔６１の上面、下面、左側面及び右側面を円弧状に凹ませた形態であり、電線４６の外周形状に沿った形状である。端子用位置決め凹部６３は、貫通孔６１の右上角部を、凹ませた形態である。端子金具４０が正しい姿勢で貫通孔６１に進入すると、規制突起４４が端子用位置決め凹部６３内を通過するようになっている。この端子用位置決め凹部６３の形状は、端子金具４０の外周のうち規制突起４４の外面（上面及び右側面）の形状に沿った形状である。
【００２８】
次に、本実施形態の作用を説明する。端子金具４０の挿入はリテーナ３０を仮係止位置に保持した状態で行われる。端子金具４０は、ゴム栓ホルダ６０の後方から貫通孔６１とシール孔５１を順に通過して、端子収容室１３内に収容される。端子金具４０が貫通孔６１に挿入されると、規制突起４４が端子用位置決め凹部６３に嵌合することにより、端子金具４０の姿勢が、挿入方向と平行な軸線周りに傾くことが防止され、端子金具４０は、所定の位置に位置決めされる。また、端子金具４０の挿入途中では、規制突起４４が上面側干渉回避凹部２１内を通過し、抜止め突起４３が逃がし凹部２０内を通過し、傾き抑制突起４２が下面側干渉回避凹部１８内を通過する。
【００２９】
端子金具４０が正規位置まで挿入されると、ランス１４と抜止め突起４３との係止により、端子金具４０が抜止めされる。全ての端子金具４０を挿入し終わったら、リテーナ３０を本係止位置へ移動させる。すると、係止突起３４が角筒部４１の後端縁に係止することにより、端子金具４０が抜止めされる。
【００３０】
端子金具４０が上下反転した不正な姿勢で挿入された場合は、角筒部４１の前端部がリテーナ３０の端子挿通孔３３に侵入したところで、図９に示すように、規制突起４４が、規制部１７を構成する固定側干渉部１６に当接し、この規制突起４４の当接により、それ以上の端子金具４０の挿入動作が規制される。また、傾き抑制突起４２が、逃がし凹部２０内に進入してその左側の内側面、つまり突部１９の右外側面に当接し、この傾き抑制突起４２の当接により、端子金具４０の反時計周り方向の姿勢の傾き（端子金具４０の挿入方向と平行な軸線を中心とする回転）が規制される。
【００３１】
もし、傾き抑制突起４２が形成されていない場合は、図１０に示すように、端子金具４０が大きく傾いて、規制突起４４と固定側干渉部１６との干渉代が減少するので、不正な姿勢での端子金具４０の挿入を規制する機能の信頼性が低下する。これに対し、本実施形態では、端子金具４０の姿勢の傾きを抑制しているので、規制突起４４と固定側干渉部１６との干渉代を、十分大きく確保することができる。
【００３２】
また、固定側干渉部１６の後面は、正しい姿勢で挿入された端子金具４０の挿入動作を円滑にするための傾斜面となっている。そのため、端子金具４０を過度に強く押し込んだ場合には、規制突起４４が傾斜面上を擦れながら前進し、端子金具４０が不正な姿勢のままで挿入されていくことが懸念される。しかし、本実施形態では、固定側干渉部１６よりも前方（挿入方向における奥方）に、可動側干渉部３５が存在しているので、この可動側干渉部３５に規制突起４４が突き当たることによって、端子金具４０の不正な姿勢での挿入が防止される。
【００３３】
上述のように、本実施形態１のコネクタは、複数の端子収容室１３が形成されたハウジング１０と、端子収容室１３と対応する複数のシール孔５１が形成された一括ゴム栓５０と、シール孔５１と対応する複数の貫通孔６１が形成されたゴム栓ホルダ６０と、ゴム栓ホルダ６０の後方から貫通孔６１とシール孔５１を順に通過して端子収容室１３に挿入される端子金具４０と、端子金具４０の外面から端子収容室１３への挿入方向と交差する方向へ突出する規制突起４４と、端子金具４０の後端部に接続され、端子金具４０が端子収容室１３に挿入された状態では、貫通孔６１を貫通した状態となる電線４６と、端子収容室１３内に臨むように設けられ、端子金具４０が不正な姿勢で端子収容室１３に挿入されたときに、規制突起４４を干渉させることで端子金具４０の挿入動作を規制する規制部１７とを備えている。
【００３４】
この構成によれば、端子金具４０が不正な姿勢で端子収容室１３に挿入されるのを規制する規制部１７は、端子収容室１３内に臨む位置、即ち端子金具４０の挿入過程における電線４６の移動経路よりも前方の位置に配置されている。したがって、規制部１７の形状、位置、寸法等は、電線４６の外径寸法の影響を受けることなく、規制突起４４の形状、位置、寸法に合わせて好適な形態にすることができる。したがって、本実施形態によれば、電線４６の外径寸法と端子金具４０の大きさとの関係に左右されることなく、端子金具４０の不正な姿勢での挿入を確実に規制することができる。
【００３５】
また、本実施形態のコネクタは、端子収容室１３の内壁面から突出した形態であって、規制部１７を構成する固定側干渉部１６と、端子収容室１３に臨むようにハウジング１０に取り付けられ、端子収容室１３に対する端子金具４０の挿入を許容する仮係止位置と、端子収容室１３に挿入された端子金具４０に対して抜止め可能に当接する本係止位置との間での変位を可能とされたリテーナ３０と、リテーナ３０に形成され、リテーナ３０が仮係止位置にあるときに、規制部１７を構成する可動側干渉部３５とを備えている。規制部１７を、端子収容室１３の内壁面の固定側干渉部１６と、リテーナ３０の可動側干渉部３５とによって構成しているので、規制突起４４と規制部１７との干渉代を十分大きく確保することが可能である。
【００３６】
また、端子収容室１３の内壁に形成されたランス１４と、端子金具４０の外面から端子収容室１３への挿入方向と交差する方向へ突出した形態であって、ランス１４に当接することで、端子収容室１３に挿入された端子金具４０を抜止めする抜止め突起４３と、端子収容室１３内に臨むように設けられ、端子金具４０が正規の姿勢で端子収容室１３に挿入されるときに抜止め突起４３を通過させる逃がし凹部２０と、端子金具４０の外面から端子収容室１３への挿入方向と交差する方向へ突出した形態であって、規制突起４４が規制部１７と干渉した状態において、逃がし凹部２０の内面に当接することで、端子金具４０の姿勢の傾きを抑制する傾き抑制突起４２とを備えている。この構成によれば、逃がし凹部２０の内面に傾き抑制突起４２を当接させて、端子金具４０の姿勢の傾きを抑制したので、端子金具４０の姿勢の傾きに起因して規制部１７に対する規制突起４４の干渉代が減少することを、防止できる。
【００３７】
また、本実施形態では、貫通孔６１における端子金具４０の貫通方向と平行に投影した仮想投影面上において、電線４６の外周部の一部のみが端子金具４０の外面から突出するようになっているのであるが、この場合、貫通孔６１を電線４６に外接するような方形状に形成してしまうと、貫通孔６１内において端子金具４０の姿勢が定まらない。そこで、本実施形態では、貫通孔６１の内周に、電線４６の外面に沿った形状の電線用回避凹部６２と、端子金具４０の外面に沿った形状の端子用位置決め凹部６３とを形成した。これにより、端子用位置決め凹部６３に端子金具４０の外周部が嵌合することによって、端子金具４０の姿勢の傾きが防止される。
【００３８】
＜他の実施形態＞
本発明は上記記述及び図面によって説明した実施形態に限定されるものではなく、例えば次のような実施形態も本発明の技術的範囲に含まれる。
（１）上記実施形態では、規制部を、端子収容室の内壁面に形成した固定側干渉部と、リテーナに形成した可動側干渉部とによって構成したが、規制部は、端子収容室の内壁面だけに形成してもよく、リテーナだけに形成してもよい。
（２）上記実施形態では、リテーナを備えたコネクタについて説明したが、本発明は、リテーナを備えないコネクタにも適用できる。
（３）上記実施形態では、端子金具の傾きを抑制する機能を兼ね備える逃がし凹部を、端子収容室の内壁面のみに形成したが、端子金具の傾きを抑制する機能を兼ね備える逃がし凹部は、端子収容室とリテーナの両方に形成してもよく、リテーナのみに形成してもよい。
（４）上記実施形態では、端子金具の抜止め手段である抜止め突起との干渉を回避するための逃がし凹部が、端子金具の傾きを抑制する手段としての機能を兼ね備えるようにしたが、本発明によれば、逃がし凹部が端子金具の傾きを抑制する機能を兼ね備えない形態としてもよい。この場合、端子金具の傾きを抑制する手段として、逃がし凹部とは別に専用の傾き抑制手段を設けてもよい。
【符号の説明】
【００３９】
１０…ハウジング
１３…端子収容室
１４…ランス
１６…固定側干渉部
１７…規制部
２０…逃がし凹部
３０…リテーナ
３５…可動側干渉部
４０…端子金具
４２…傾き抑制突起
４３…抜止め突起
４４…規制突起
４６…電線
５０…一括ゴム栓
５１…シール孔
６０…ゴム栓ホルダ
６１…貫通孔
６２…電線用回避凹部
６３…端子用位置決め凹部
【図１】
0005772468.tif 000002
【図２】
0005772468.tif 000003
【図３】
0005772468.tif 000004
【図４】
0005772468.tif 000005
【図５】
0005772468.tif 000006
【図６】
0005772468.tif 000007
【図７】
0005772468.tif 000008
【図８】
0005772468.tif 000009
【図９】
0005772468.tif 000010
【図１０】
0005772468.tif 000011
【図１１】
0005772468.tif 000012